(57)【要約】【課題】異なる形状の発泡成形体ごとに、その形状に応じた成形用金型の部品を管理および作製することなく、安価に複数の形状の発泡成形体を簡単に製造することができる成形用金型を提供する。【解決手段】予備発泡粒子が充填されたキャビティ６内に蒸気を供給することにより、予備発泡粒子を発泡させて、発泡成形体を成形する成形用金型４である。成形用金型４は、キャビティ６を形成する成形用金型４の成形面４ａを有した複数の柱状の駒体４１、４１、…を有している。各駒体４１は、発泡成形体の形状に応じた成形面４ａを形成するように移動自在となっている。成形用金型４は、移動させた各駒体４１の位置を保持する保持機構の一つとして、押さえプレート４３とボルト４５を備えている。【選択図】図３
2017121757.tif 000002
【特許請求の範囲】
【請求項１】
予備発泡粒子が充填されたキャビティ内に蒸気を供給することにより、前記予備発泡粒子を発泡させて、発泡成形体を成形する成形用金型であって、
前記成形用金型は、前記キャビティを形成する前記成形用金型の成形面を有した複数の柱状の駒体を有しており、
前記各駒体は、前記発泡成形体の形状に応じた前記成形面を形成するように移動自在となっており、
前記成形用金型は、移動させた前記各駒体の位置を保持する保持機構を備えていることを特徴とする成形用金型。
【請求項２】
前記駒体同士の間には、蒸気を前記キャビティ内に供給する隙間が形成されていることを特徴とする請求項１に記載の成形用金型。
【請求項３】
前記駒体の側面には、隣接する前記駒体に係合する凸部または凹部が形成されていることを特徴とする請求項１または２に記載の成形用金型。
【請求項４】
前記成形用金型は、前記移動自在に複数の駒体を収容する枠体を備えており、
前記保持機構は、前記複数の駒体の位置を保持するように、前記枠体に収容された状態の前記複数の駒体を、その周りから押圧する機構であることを特徴とする請求項１〜３のいずれか一項に記載の成形用金型。
【請求項５】
前記保持機構は、前記発泡成形体の形状に応じて前記各駒体を移動させ、前記各駒体の位置を保持するように、前記各駒体に取り付けられたアクチュエータであることを特徴とする請求項１〜３のいずれか一項に記載の成形用金型。
【請求項６】
請求項４に記載の成形用金型を用いた発泡成形体の製造方法であって、
前記発泡成形体の形状に応じた成形面を形成するように、前記各駒体を移動させる工程と、
移動させた前記各駒体の位置を前記保持機構で保持する工程と、
前記各駒体を保持した状態の成形型を用いて、前記発泡成形体を成形する工程と、を含むことを特徴とする発泡成形体の製造方法。
【請求項７】
前記各駒体を移動させる工程において、前記成形する発泡成形体の形状に応じた型材を、前記複数の駒体に当接させることにより、前記各駒体を移動させることを特徴とする請求項６に記載の発泡成形体の製造方法。
【請求項８】
請求項５に記載の成形用金型を用いた発泡成形体の製造方法であって、
前記発泡成形体の形状に応じた成形面を形成するように、前記アクチュエータにより、前記各駒体を移動させた後、移動させた前記各駒体の位置を保持する工程と、
前記各駒体を保持した状態の成形型を用いて、前記発泡成形体を成形する工程と、を含むことを特徴とする発泡成形体の製造方法。
【発明の詳細な説明】
【技術分野】
【０００１】
本発明は、発泡成形体を成形する成形用金型およびこれを用いた発泡成形体の製造方法に関する。
【背景技術】
【０００２】
従来から、発泡成形体を製造する際には、樹脂粒子を予備発泡し、得られた予備発泡粒子を成形用金型のキャビティに充填する。次に、キャビティ内の予備発泡粒子を蒸気で加熱して再度発泡させて発泡成形体を成形し、成形された発泡成形体を冷却水等を用いて冷却した後、これを成形用金型から離型する。
【０００３】
このような成形用金型として、例えば、特許文献１には、１つの成形用金型を用いて、異なる形状の発泡成形体を成形する成形用金型が提案されている。この成形用金型は、マスターフレームと、マスターフレームに取付けられた蒸気吹き出しプレートと、蒸気吹き出しプレートに着脱自在に取り付けられ、異なる形状の複数種の発泡成形体に応じた形状の複数のアタッチメントプレートと、を備えている。
【０００４】
この成形用金型によれば、発泡成形体を成形する際に、発泡成形体に応じた形状のキャビティを形成するアタッチメントプレートを複数種のアタッチメントから選択し、選択したアタッチメントを蒸気吹き出しプレートに取付けて、発泡成形体を成形することができる。このような結果、発泡成形体の形状や厚さに変更があっても、発泡成形体に応じたアタッチメントプレートを交換するだけで、それに対処することができる。
【先行技術文献】
【特許文献】
【０００５】
【特許文献１】特開２０１０−２２８２４６号公報
【発明の概要】
【発明が解決しようとする課題】
【０００６】
しかしながら、特許文献１に記載の成形用金型では、異なる形状の発泡成形体ごとに、その形状に応じたアタッチメントを、複数種管理せねばならず、新たな形状の発泡成形体を成形する際には、新たにアタッチメントを作製する必要があった。これにより、成形用金型の部品(アタッチメント）に対する管理コストおよび作製コストが多大に発生するおそれがあった。
【０００７】
本発明は、このような点を鑑みてなされたものであり、その目的とするところは、異なる形状の発泡成形体ごとに、その形状に応じた成形用金型の部品を管理および作製することなく、安価に複数の形状の発泡成形体を簡単に製造することができる成形用金型およびこれを用いた発泡成形体の製造方法を提供することにある。
【課題を解決するための手段】
【０００８】
前記課題を鑑みて、本発明に係る成形用金型は、予備発泡粒子が充填されたキャビティ内に蒸気を供給することにより、前記予備発泡粒子を発泡させて、発泡成形体を成形する成形用金型であって、前記成形用金型は、前記キャビティを形成する前記成形用金型の成形面を有した複数の柱状の駒体を有しており、前記各駒体は、前記発泡成形体の形状に応じた前記成形面を形成するように移動自在となっており、前記成形用金型は、移動させた前記各駒体の位置を保持する保持機構を備えていることを特徴とする。
【０００９】
本発明に係る成形用金型によれば、発泡成形体の形状に応じた成形面を形成するように、各駒体を移動させた後、移動させた各駒体の位置を保持機構で保持することができる。これにより、異なる形状の発泡成形体ごとに、その形状に応じた成形用金型の部品を管理および作製することなく、駒体の位置を調節することで、異なる形状の発泡成形体を安価にかつ簡単に製造することができる。
【００１０】
より好ましい態様としては、前記駒体同士の間には、蒸気を前記キャビティ内に供給する隙間が形成されている。この態様によれば、駒体同士の隙間が形成されているため、各駒体の移動後も、駒体同士の隙間からキャビティ内に、安定して蒸気を供給することができる。
【００１１】
さらに好ましい態様としては、前記駒体の側面には、前記隣接する駒体に係合する凸部または凹部が形成されている。この態様によれば、駒体の側面に形成された凸部または凹部により、駒体同士を相互に係合することができる。これにより、駒体同士を移動させた際に、駒体同士が分離することを抑制することができる。
【００１２】
さらに、駒体の側面に形成された凸部または凹部により、駒体は、凹凸形状を有することになるので、蒸気の熱を、駒体の成形面からキャビティ内に効率良く伝達することができる。また、成形後の発泡成形体に残存する熱を効率良く放熱することができる。
【００１３】
さらに好ましい態様として、前記成形用金型は、前記移動自在に複数の駒体を収容する枠体を備えており、前記保持機構は、前記複数の駒体の位置を保持するように、前記枠体に収容された状態の前記複数の駒体を、その周りから押圧する機構である。
【００１４】
この態様によれば、発泡成形体を製造する際に、まず、発泡成形体の形状に応じた成形面を形成するように、各駒体にアクチュエータ等を当接させることにより、各駒体を移動させる。次に、移動させた各駒体の位置を前記保持機構で保持する。具体的には、枠体に収容された状態の複数の駒体を、その周りから押圧することで保持することができる。これにより、成形用金型に、様々な形状を有した成形面を簡単に形成することができる。このようにして、各駒体を保持した状態の成形型を用いて、様々な形状の発泡成形体を簡単に成形することができる。
【００１５】
ここで、成形する発泡成形体の形状に応じた型材を、複数の駒体に当接させることにより、各駒体を移動させ、型材が当接した状態の各駒体の位置を押圧機構で保持すれば、精度良い成形面を有した成形用金型を簡単に得ることができる。
【００１６】
別の好ましい態様として、前記保持機構は、前記発泡成形体の形状に応じて前記各駒体を移動させ、前記各駒体の位置を保持するように、前記各駒体に取り付けられたアクチュエータである。
【００１７】
この態様によれば、発泡成形体の形状に応じた成形面を形成するように、アクチュエータにより、各駒体を移動させた後、移動させた前記各駒体の位置をアクチュエータで保持することができる。この場合も同様に、成形用金型に、様々な形状を有した成形面を簡単に形成し、様々な形状の発泡成形体を簡単に成形することができる。
【発明の効果】
【００１８】
本発明によれば、異なる形状の発泡成形体ごとに、その形状に応じた成形用金型の部品を管理および作製することなく、異なる形状の発泡成形体を簡単に製造することができる。
【図面の簡単な説明】
【００１９】
【図１】本発明の第１実施形態に係る成形用金型を備えた成形装置の模式図である。
【図２】図１に示す移動型の成形用金型の平面図である。
【図３】図２に示す成形用金型のＡ−Ａ矢視断面図である。
【図４】（ａ）は、図１に示す駒体の模式的斜視図であり、（ｂ）は、（ａ）に示す駒体の変形例に係る駒体の模式的斜視図である。
【図５】図３に示す成形用金型の駒体の位置を調整する方法を説明するための図であり、（ａ）は、調整前の成形用金型の断面図であり、（ｂ）は、（ａ）に示す状態から、駒体を移動させた状態の成形用金型の断面図であり、（ｃ）は、（ｂ）に示す状態の駒体を保持した状態の成形用金型の断面図である。
【図６】図３に示す成形用金型の駒体の位置を調節する別の方法を説明するための図であり、（ａ）は、駒体を移動させた状態の成形用金型の断面図であり、（ｂ）は、（ａ）に示す状態の駒体を保持した状態の成形用金型の断面図である。
【図７】本発明の第２実施形態に係る成形用金型を備えた成形装置の模式図である。
【発明を実施するための形態】
【００２０】
以下に本発明の２つの実施形態に係る成形用金型について、図１〜図７を参照しながら、その詳細な説明を詳述する。
【００２１】
〔第１実施形態〕
１．成形装置１について
図１は、本発明の第１実施形態に係る成形用金型４，５を備えた成形装置１の模式図である。
本実施形態に係る成形装置１は、成形型１０を備えており、成形型１０は、雌型となる移動型２と雄型となる固定型３とを備えている。成形型１０は、固定型３に対して移動型２が接近・離間することで型閉め・型開きが可能となっている。
【００２２】
移動型２は、キャビティ６を形成する成形面４ａを有した成形用金型４と、成形用金型４を取り付けるフレーム２１と、ブラケット側バックプレート２２とを備えている。移動型２の内部には蒸気室２３が形成されている。
【００２３】
同様に、固定型３にも、キャビティ６を形成する成形面５ａを有した成形用金型５と、成形用金型５を取り付けるフレーム３１と、ダイプレート３２とを備えている。移動型２と同様に、固定型３の内部にも蒸気室３３が形成されている。
【００２４】
フレーム２１、３１は、図１に示す型閉め状態において略長方体形状をなす成形型１０の４つの側面を構成し、ブラケット側バックプレート２２とダイプレート３２とは、蒸気室２３、３３を密閉するように、各フレーム２１、３１に取付けられている。成形用金型４、５との間には、図１に示す型閉め状態において、発泡成形体の外形に合致したキャビティ６が形成される。この状態で、キャビティ６と蒸気室２３（３３）とを仕切るように、成形用金型４（５）が形成される。
【００２５】
移動型２の蒸気室２３には、調圧蒸気弁２４を介して蒸気供給管路が接続され、その対向位置にはドレン弁２５を介してドレン管路が接続され、このドレン管路には、真空弁２６を介して真空排気管路が接続されている。また、移動型２の蒸気室２３には、冷却水弁２７を介して冷却水供給管路が挿入され、圧力計２８が接続されている。
【００２６】
同様に、固定型３の蒸気室３３には、調圧蒸気弁３４を介して蒸気供給管路が接続され、その対向位置にはドレン弁３５を介してドレン管路が接続され、このドレン管路には、真空弁３６を介して真空排気管路が接続されている。また、固定型３の蒸気室３３には、冷却水弁３７を介して冷却水供給管路が挿入され、圧力計３８が接続されている。なお、図示していないが、成形型１０には、キャビティ６内に予備発泡粒子を充填するための樹脂供給管路が接続された予備発泡粒子供給口や成形を終えた発泡成形体を成形型１０から押し出すためのピンが設けられている。
【００２７】
２．成形用金型４，５について
ここで、雌型である移動型２の成形用金型４と、雄型である固定型３の成形用金型５とは、形状は異なるが、基本的には、同じ機能を有した部材で構成されているため、以下に、移動型２の成形用金型４を説明し、固定型３の成形用金型５の詳細な説明を省略する。
【００２８】
図２は、図１に示す移動型２の成形用金型４の平面図であり、図３は、図２に示す成形用金型４のＡ−Ａ矢視断面図である。図４（ａ）は、図１に示す駒体４１の模式的斜視図であり、図４（ｂ）は、図４（ａ）に示す駒体４１の変形例に係る駒体４１Ａの模式的斜視図である。
【００２９】
図２および図３に示すように、本実施形態に係る成形用金型４は、キャビティ６を形成する成形用金型４の成形面４ａを有した複数の柱状の駒体４１、４１、…と、複数の駒体４１、４１、…を収容する枠体４２と、を備えている。図３および図４（ａ）に示すように、各駒体４１、４１、…は、発泡成形体の形状に応じた成形面４ａを形成するように、キャビティ６が形成される方向（図では上下方向）に移動自在となっている。
【００３０】
さらに、成形用金型４は、枠体４２内で移動させた各駒体４１の位置を保持する保持機構として、押さえプレート４３とボルト（押圧部材）４５とを備えている。本実施形態では、押さえプレート４３とボルト４５とは、複数の駒体４１、４１、…の位置を保持するように、枠体４２に収容された状態の複数の駒体４１、４１、…を、その周りから押圧する部材である。
【００３１】
具体的には、本実施形態では、図２に示すように、枠体４２内において、４つの押さえプレート４３が、複数の駒体４１、４１、…の周りに配置されている。枠体４２には、ボルト４５を螺着させる貫通孔４２ａが形成されている。これにより、枠体４２にボルト４５を螺着させてねじ込んだ状態で、押さえプレート４３を介して複数の駒体４１、４１、…を、ボルト４５で枠体４２の内方に押圧することができる。これにより、複数の駒体４１、４１、…の位置が、枠体４２の内部において保持（固定）される。
【００３２】
本実施形態では、複数の駒体４１、４１、…を押圧する部材の一例として、ボルトを用いたが、押さえプレート４３を介して複数の駒体４１、４１、…を押圧することができるのであれば、ネジ等その他の部材であってもよい。
【００３３】
さらに、駒体４１、４１同士の間には、蒸気をキャビティ６内に供給する隙間Ｓが形成されている。本実施形態では、駒体４１、４１の移動する方向に沿って隙間Ｓが形成されているため、各駒体４１、４１の移動後も、駒体４１、４１同士の隙間Ｓを介して、蒸気室２３からキャビティ６に、安定して蒸気を供給することができる。
【００３４】
図４（ａ）に示すように、本実施形態では、駒体４１同士が当接する側面は平面状であるが、例えば、図４（ｂ）に示すように、駒体４１Ａの側面に、隣接する駒体４１Ａ、４１Ａ同士を相互に係合させる凸部４１ａまたは凹部４１ｂが形成されていてもよい。
【００３５】
これにより、駒体４１Ａの側面に形成された凸部４１ａまたは凹部４１ｂにより、駒体４１Ａ同士を相互に係合することができる。これにより、駒体４１Ａ、４１Ａ同士を移動させた際に、駒体４１Ａ、４１Ａ同士が分離することを抑制することができる。
【００３６】
さらに、駒体４１Ａの側面に形成された凸部４１ａまたは凹部４１ｂにより、駒体４１Ａは、凹凸形状を有することになるので、蒸気の熱を、駒体４１Ａの成形面４ａからキャビティ６内に効率良く伝達することができる。また、成形後の発泡成形体に残存する熱を効率良く放熱することができる。
【００３７】
３．成形装置１を用いた発泡成形体の製造方法について
以下に、図１〜図３を再度参照しつつ、図５（ａ）〜（ｃ）を用いて、本実施形態に係る成形装置１を用いた発泡成形体の製造方法を説明する。
【００３８】
図５は、図３に示す成形用金型４の駒体４１の位置を調整する方法を説明するための図である。図５（ａ）は、調整前の成形用金型４の断面図であり、図５（ｂ）は、図５（ａ）に示す状態から、駒体４１を移動させた状態の成形用金型４の断面図であり、図５（ｃ）は、図５（ｂ）に示す状態の駒体４１を保持した状態の成形用金型４の断面図である。
【００３９】
図５（ａ）に示すように、まず、調整前の成形用金型４を準備し、成形面４ａと反対側から各駒体４１に当接するように、アクチュエータ７を配置する。この状態では、駒体４１は、成形用金型４の成形面４ａが平面となるように配置されている。また、枠体４２にはボルト４５は取り付けられておらず、各駒体４１は、上下方向に移動自在となっている。
【００４０】
一方、アクチュエータ７には、駒体４１の個数に応じて複数の調整用のロッド７１が取り付けられ、各ロッド７１は、各駒体４１に当接している。アクチュエータ本体７２には、モータ（図視せず）が配置されており、モータを駆動制御（具体的にはＮＣ制御）することにより、ロッド７１の先端部は、上下方向に移動可能となっている。
【００４１】
次に、図５（ｂ）に示すように、アクチュエータ７のモータをＮＣ制御し、ロッド７１の先端を移動させる。具体的には、アクチュエータ７のロッド７１を介して、発泡成形体の形状に応じた成形面４ａを形成するように、各駒体４１を所定量、上下方向に移動させる。この作業が、本発明でいう駒体を移動させる工程に相当する。
【００４２】
次に、移動させた各駒体４１の位置を、保持機構である押さえプレート４３とボルト４５とで、保持する。具体的には、図５（ｂ）および図５（ｃ）に示すように、枠体４２に形成された貫通孔４２ａにボルト４５を螺着させ、ボルト４５を締め込むことにより、押さえプレート４３を介して駒体４１を枠体４２の内方へ押圧する。この作業が、本発明でいう、保持機構で保持する工程に相当する。これにより、上下方向に移動自在な駒体４１を拘束し、図３に示すような成形用金型４を得ることができる。
【００４３】
このように、本実施形態によれば、発泡成形体の形状に応じた成形面４ａを形成するように、アクチュエータ７で各駒体４１を移動させた後、移動させた各駒体４１の位置を保持することができる。この結果、異なる形状の発泡成形体ごとに、その形状に応じた成形用金型４の部品を管理および作製することなく、駒体４１、４１の位置を調節することで、異なる形状の発泡成形体を簡単に製造することができる。
【００４４】
図５（ａ）〜図５（ｃ）に示す方法では、成形用金型の駒体の位置の調整を、アクチュエータ７を用いて行ったが、例えば、図６（ａ）、（ｂ）に示す方法により、駒体を調整してもよい。
【００４５】
図６は、図３に示す成形用金型４の駒体４１の位置を調節する別の方法を説明するための図であり、図６（ａ）は、駒体４１を移動させた状態の成形用金型４の断面図であり、図６（ｂ）は、図６（ａ）に示す状態の駒体４１を保持した状態の成形用金型４の断面図である。
【００４６】
具体的には、図６（ａ）に示すように、成形する発泡成形体の形状に応じた型材９を準備し、型材９を枠体４２内に押し込むことにより、型材９を、複数の駒体４１、４１、…に当接させる。これにより、発泡成形体の形状に応じた成形面４ａを形成するように、各駒体４１を移動させることができる。このような型材９は、３Ｄプリンタなどの付加製造法により、簡単に製造することができる。
【００４７】
次に、図６（ａ）、（ｂ）に示すように、移動させた各駒体４１の位置を、保持機構である押さえプレート４３とボルト４５とで、保持する。このようにして、成形する発泡成形体の形状に応じた型材９を、複数の駒体４１、４１、…に当接させることにより、各駒体４１を移動させ、型材９が当接した状態の各駒体の位置を保持すれば、精度良い成形面４ａを有した成形用金型４を簡単に得ることができる。
【００４８】
同様に、図５（ａ）〜（ｃ）または図６（ａ）、（ｂ）で説明したいずれかの方法で、固定型３の成形用金型５も、発泡成形体の形状に応じた成形面５ａが形成されるように、各駒体を移動させた後、駒体を保持する。得られた、成形用金型４、５を成形装置１に取り付ける。
【００４９】
次に、移動型２を固定型３に対して接近させることにより、図１に示すように成形装置１を型閉めする。その後、予備発泡粒子供給口（図示せず）から、成形用金型４、５により形成された成形型１０のキャビティ６内に予備発泡粒子を充填する。
【００５０】
ここで、予備発泡粒子は、発泡剤を含有させた合成樹脂粒子を予備発泡させて得られるものであり、この合成樹脂粒子を構成する合成樹脂としては、例えば、ポリスチレン、ハイインパクトポリスチレン、スチレン−無水マレイン酸共重合体、スチレン−アクリロニトリル共重合体等のポリスチレン系樹脂、ポリエチレン、ポリプロピレン、エチレン−酢酸ビニル共重合体等のポリオレフィン系樹脂、ポリエチレンテレフタレート等のポリエステル系樹脂等を挙げることができ、強度と成形性の良さからポリスチレン系樹脂が好ましい。
【００５１】
次に、成形型１０のキャビティ６内に予備発泡粒子を充填した後、調圧蒸気弁２４、３４、ドレン弁２５、３５を開き、成形型１０に蒸気を流し、成形用金型４、５を加熱する。
【００５２】
次に、移動型２の調圧蒸気弁２４と固定型３のドレン弁３５を開いた状態を維持し、固定型３の調圧蒸気弁３４と移動型２のドレン弁２５を閉じる。これにより、移動型２から固定型３に向かってキャビティ６内に蒸気を流す。
【００５３】
次に、固定型の調圧蒸気弁３４と移動型２のドレン弁２５を開き、移動型２の調圧蒸気弁２４と固定型３のドレン弁３５とを閉じる。これにより、移動型２から固定型３に向かってキャビティ６内に蒸気を流す。このようにして、キャビティ６に充填された予備発泡粒子が発泡し、発泡成形体を成形することができる。
【００５４】
次に、移動型２の調圧蒸気弁２４と固定型の調圧蒸気弁３４とを開き、移動型２のドレン弁２５と固定型３のドレン弁３５とを閉じて、成形用金型４、５を両側から加熱する。その後、移動型２の調圧蒸気弁２４と固定型の調圧蒸気弁３４を閉じて、成形用金型４、５内を保温する。
【００５５】
その後、冷却水弁２７、３７を開いて冷却水を成形装置１内に導入し、成形用金型４、５を冷却する。冷却後、ドレン弁２５、３５を閉じ、真空弁２６、３６を開くことによって成形型１０内を真空排気して、成形用金型４、５を放冷する。放冷後、固定型３に対して移動型２を離間する方向に、移動型２を移動させて型開きし、型内発泡成形により得られた発泡成形体を取り出す。これら一連の作業が、本発明でいう発泡成形体を成形する工程に相当する。
【００５６】
〔第２実施形態〕
図７は、本発明の第２実施形態に係る成形用金型４，５を備えた成形装置１Ａの模式図である。第２実施形態に係る成形用金型４、５が、第１実施形態のものと相違する点は、押さえプレートとボルトの代わりに、保持機構にアクチュエータ８を用いた点である。
【００５７】
なお、第１実施形態と同じ部材には、同じ符号を付して、その詳細な説明を省略する。また、図７では、便宜上、移動型２および固定型３に取付けられた、冷却水弁、冷却水供給管路および圧力計は図示しせず、省略している。
【００５８】
本実施形態では、図７に示すように、成形装置１Ａ内において、発泡成形体の形状に応じて各駒体４１を移動させ、各駒体４１の位置を保持するように、アクチュエータ８が各駒体４１に取り付けられている。
【００５９】
具体的には、アクチュエータ８は、図５で示したものと、同様の機構である。発泡成形体を成形する際には、アクチュエータ本体８２のモータ（図示せず）を駆動制御（具体的にはＮＣ制御）することにより、発泡成形体の形状に応じた量で、成形用金型４の各駒体４１を移動させる。各駒体４１は、ロッド８１に取付けられているので、移動させた各駒体４１の位置を保持することができる。この作業が、本発明でいう各駒体の位置を保持する工程に相当する。成形用金型５も同様であるので、アクチュエータ８により、発泡成形体の形状に応じた成形面５ａを形成する。
【００６０】
このようにして、成形用金型４，５を成形装置１Ａから取り外すことなく、発泡成形体の形状に応じた成形面４ａ，５ａを形成するように、アクチュエータ８により、各駒体を移動させた後、移動させた各駒体の位置を保持することができる。この場合も同様に、成形用金型４，５に、様々な形状を有した成形面４ａ，５ａを簡単に形成し、様々な形状の発泡成形体を簡単に成形することができる。
【００６１】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【符号の説明】
【００６２】
１，１Ａ：成形装置、２：移動型、３：固定型、４，５：成形用金型、４ａ：成形面、６：キャビティ、７，８：アクチュエータ、９：型材、１０：成形型、２１：フレーム、２２：ブラケット側バックプレート、２３，３３：蒸気室、２４，３４：調圧蒸気弁、２５，３５：ドレン弁、２７，３７：冷却水弁、２８，３８：圧力計、３１：フレーム、３２：ダイプレート、４１，４１Ａ：駒体、４１ａ：凸部、４１ｂ：凹部、４２：枠体、４２ａ：貫通孔、４３：押さえプレート、４５：ボルト、７１：ロッド、７２：アクチュエータ本体、８１：ロッド、８２：アクチュエータ本体、Ｓ：隙間。
【図１】
2017121757.tif 000003
【図２】
2017121757.tif 000004
【図３】
2017121757.tif 000005
【図４】
2017121757.tif 000006
【図５】
2017121757.tif 000007
【図６】
2017121757.tif 000008
【図７】
2017121757.tif 000009